【事件の表示】
　特願２０１５−１５８１７６号「注文飲食物搬送装置」拒絶査定不服審判事件〔平成２９年　２月１６日出願公開、特開２０１７−　３５２８９号、請求項の数（４）〕について、次のとおり審決する。
【結　論】
　原査定を取り消す。
　本願の発明は、特許すべきものとする。
【理　由】
第１　手続の経緯
　本願は、平成２７年８月１０日の出願であって、令和１年７月１０日付けで拒絶理由が通知され、同年９月６日に意見書及び手続補正書が提出されたが、令和２年２月２１日付けで拒絶査定（以下「原査定」という。）がされ、これに対し、同年６月１日に拒絶査定不服審判が請求されたものである。
第２　原査定の概要
　原査定の概要は次のとおりである。
　本願の請求項１、２に係る発明は、その出願前に日本国内又は外国において、頒布された以下の引用文献１〜３に記載された発明に基いて、本願の請求項３に係る発明は、その出願前に日本国内又は外国において、頒布された以下の引用文献１〜４に記載された発明に基いて、その出願前にその発明の属する技術の分野における通常の知識を有する者（以下「当業者」という。）が容易に発明をすることができたものであるから、特許法第２９条第２項の規定により特許を受けることができない。
　なお、本願の請求項４に係る発明ついては、拒絶理由が通知されておらず、原査定の対象外となっている。
＜引用文献等一覧＞
　引用文献１：特開２０１１−２３４８８０号公報
　引用文献２：実公昭４７−７２６３号公報
　引用文献３：特表２００３−５１１２２５号公報
　引用文献４：特開２０１２−３６７５号公報
第３　本願発明
　本願の請求項１〜４に係る発明（以下「本願発明１〜４」という。）は、令和１年９月６日の手続補正により補正された特許請求の範囲の請求項１〜４に記載された事項により特定される、以下のとおりの発明である。
「　【請求項１】
　飲食店の厨房と客席エリアとの間で注文飲食物を搬送する注文飲食物搬送装置であって、
　前記客席エリアの客からオーダーされた注文飲食物を載せた搬送トレーが各々走行する複数の搬送レーンであり、前記厨房から前記客席エリアにある少なくとも何れかの客席へ至るまでの経路が互いに平行に形成されている複数の搬送レーンと、
　前記複数の搬送レーンにある前記各搬送トレーの走行を制御する制御装置と、を備え、
　前記制御装置は、
　　一つの前記搬送トレーに載る大きさの注文飲食物の容器を搬送する場合に選択される非同期モードにおいては、搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせ、
　　前記複数の搬送レーン間に跨る大きさの注文飲食物の容器を搬送する場合に選択される同期モードにおいては、搬送先の指定操作を受け付けて前記複数の搬送レーンの各搬送トレーを並列に走行させる、
　注文飲食物搬送装置。
　　【請求項２】
　前記複数の搬送レーンは、前記搬送トレーの進路を案内するリブを、前記搬送レーンの中心線沿いに有しており、
　前記各搬送トレーは、各々の中心部において前記リブを両側から挟み込む複数のローラを有する、
　請求項１に記載の注文飲食物搬送装置。
　　【請求項３】
　前記複数の搬送レーンは、互いに平行なままカーブする部分を有し、
　前記制御装置は、前記同期モードにおいては、前記各搬送トレーが前記カーブする部分を走行中は前記各搬送トレーの並走状態が保たれるように、前記カーブする部分において内周側を走行する搬送トレーの速度を、前記カーブする部分において外周側を走行する搬送トレーの速度よりも減速する、
　請求項１または２に記載の注文飲食物搬送装置。
　　【請求項４】
　前記搬送レーンは、前記搬送トレーの中心部に設けられる被連結手段を、前記搬送レーンの中心線に沿って延在するベルトに取り付けられた連結手段と連結させた状態で前記ベルトを回転することにより、前記搬送トレーを走行させる駆動機構を有しており、
　前記制御装置は、前記同期モードにおいては、前記カーブする部分において内周側を走行する搬送トレーを動かすベルトの速度を、前記カーブする部分における外周側の搬送路と内周側の搬送路とのカーブの半径の比率に応じた量だけ減速する、
　請求項３に記載の注文飲食物搬送装置。」
第４　引用文献の記載事項、認定事項及び引用発明等
１　引用文献１について
１−１　記載事項
　原査定の拒絶の理由に引用された上記引用文献１には、図面とともに次の事項が記載されている（なお、下線は当審で付した。以下同様である。）。
（１ａ）「【請求項２】
　
飲食物を調理するための厨房と複数の客席とに亘って設けられた搬送路と、各前記客席に設けられ、前記飲食物の注文を受注する飲食物注文手段と、各前記客席と前記厨房との間で前記搬送路に沿って走行する走行体と、を備え、前記飲食物を載置した前記走行体を前記客席まで走行させる注文飲食物搬送装置であって、
　
前記走行体の走行を制御する制御手段を更に備え、
　前記飲食物は、複数の種類に区分されているとともに、前記搬送路の前記厨房側には、前記走行体の走行方向に沿ってそれぞれ異なる種類毎に前記飲食物を前記走行体に対して載置するための複数の飲食物載置領域が設けられており、
　前記
制御手段は
前記飲食物を載置した前記走行体を前記飲食物を注文した前記客席まで走行させる
（１ｂ）「【００１５】
　実施例に係る注文飲食物搬送装置及びその方法につき、図１から図１５を参照して説明する。以下、図５における紙面奥側を走行体の正面側（前方側）として説明する。図１の符号１は、寿司７等の飲食物を搬送する注文飲食物搬送装置である。図１に示すように注文飲食物搬送装置１は、
例えば回転寿司店等の飲食店において、調理人Ｓが調理を行う厨房Ｃと飲食客が飲食を行う店内Ｋとに亘って平面視で略Ｌ字状に形成された2本の注文搬送路１８，１９と、これら注文搬送路１８，１９上を走行可能に配置された各２つの走行体３と、を備えている。
【００１６】
　このうち、
注文搬送路１８，１９は、厨房Ｃから店内Ｋにかけて並行に設けられており
（１ｃ）「【００２１】
　尚、本実施例では
、注文搬送路１８上を走行する走行体３は、
注文搬送路１８上を走行することで、
飲食カウンタ５における各飲食シート６に寿司７を搬送することができるとともに、注文搬送路１９上を走行する走行体３は、
注文搬送路１９上を走行することで、
飲食テーブル４に寿司７を搬送することができるようになっている。
（１ｄ）「【００２４】
　先ず、走行体３を走行させる注文搬送路１８の構造を説明する。図１、図３、図４及び図７に示すように、注文搬送路１８の搬送面３下における厨房Ｃ側の端部には、モータ１３によって水平方向に回動する駆動部スプロケット１４ａが設けられているとともに、店内Ｋ側の端部には、テンション部スプロケット１４ｂが設けられている。また、モータ１３には、モータ１３の回転数を計測するための本発明における測定手段としてのロータリーエンコーダ１５が取り付けられている。
【００２５】
　これら両端部に配設される駆動部スプロケット１４ａ及びテンション部スプロケット１４ｂに、本発明の搬送駆動体としての環状に形成された駆動ベルト１６が掛け渡されている。この駆動ベルト１６の内周面には、駆動ベルト１６の右側面の全長に渡って駆動部スプロケット１４ａ及びテンション部スプロケット１４ｂに係合可能なラック部１６ａが複数形成されており、ラック部１６ａは、駆動部スプロケット１４ａ及びテンション部スプロケット１４ｂとに係合しているため、駆動部スプロケット１４ａの回動により駆動ベルト１６が駆動するようになっている。」
（１ｅ）「【００４７】
　そして、本実施例の
制御回路３０は、注文搬送路１８，１９上を走行する走行体３，３を検知することで、モータ１３の回転数をロータリーエンコーダ１５によって測定可能となっており、このロータリーエンコーダ１５で測定したモータ１３の回転数から走行体３，３の走行距離を算出するようになっている。
【００４８】
　
このため、寿司７を載置した寿司皿１１を載置した走行体３，３は、正確に注文端末８で寿司７を注文した飲食テーブル４または飲食カウンタ５における各飲食シート６まで走行可能となっている。
（１ｆ）引用文献１には、以下の図が示されている。
【図１】
【図２】
【図３】
１−２　認定事項
ア　請求項２に、「飲食物を調理するための厨房と複数の客席とに亘って設けられた搬送路と、各前記客席に設けられ、前記飲食物の注文を受注する飲食物注文手段と、各前記客席と前記厨房との間で前記搬送路に沿って走行する走行体と、を備え、前記飲食物を載置した前記走行体を前記客席まで走行させる注文飲食物搬送装置」と記載され、段落【００１５】に、「調理人Ｓが調理を行う厨房Ｃと飲食客が飲食を行う店内Ｋとに亘って平面視で略Ｌ字状に形成された2本の注文搬送路１８，１９と、これら注文搬送路１８，１９上を走行可能に配置された各２つの走行体３と、を備えている。」と記載され、さらに、段落【００１６】に「注文搬送路１８，１９は、厨房Ｃから店内Ｋにかけて並行に設けられており」と記載されていることを踏まえて、図１をみると、請求項２記載の
搬送路は、複数の客席の客から受注した飲食物を載置した走行体３が各々走行する２本の注文搬送路１８，１９であり、厨房から複数の客席へ至るまでの経路が互いに並行に設けられている２本の注文搬送路１８，１９
イ　請求項２に、「前記走行体の走行を制御する制御手段を更に備え、」と記載され、段落【００４７】〜【００４８】に、「制御回路３０は、注文搬送路１８，１９上を走行する走行体３，３を検知することで、モータ１３の回転数をロータリーエンコーダ１５によって測定可能となっており、このロータリーエンコーダ１５で測定したモータ１３の回転数から走行体３，３の走行距離を算出するようになっている。」「このため、寿司７を載置した寿司皿１１を載置した走行体３，３は、正確に注文端末８で寿司７を注文した飲食テーブル４または飲食カウンタ５における各飲食シート６まで走行可能となっている。」と記載されているから、引用文献１記載の注文飲食物搬送装置は、
２本の注文搬送路１８，１９上を走行する走行体３，３の走行を制御する制御手段
備え
ウ　請求項２に、「制御手段は、・・・、前記飲食物を載置した前記走行体を前記飲食物を注文した前記客席まで走行させる」と記載され、段落【００２１】に、「注文搬送路１８上を走行する走行体３は、・・・注文搬送路１８上を走行することで、・・・飲食カウンタ５における各飲食シート６に寿司７を搬送することができるとともに、注文搬送路１９上を走行する走行体３は、・・・注文搬送路１９上を走行することで、・・・飲食テーブル４に寿司７を搬送することができるようになっている。」と記載されていることを踏まえると、
制御手段は、飲食物を注文した飲食カウンタ５における各飲食シート６又は飲食テーブル４の指定操作を注文搬送路１８，１９毎に受け付けて前記注文搬送路１８，１９上の走行体３，３を互いに独立して走行させることで、注文搬送路１８，１９において指定された飲食物を注文した飲食カウンタ５における各飲食シート６又は飲食テーブル４への飲食物の搬送を各々行わせる
１−３　引用発明
　上記１−１、１−２から、引用文献１には次の発明（以下「引用発明」という。）が記載されていると認められる。
「例えば回転寿司店等の飲食店において、飲食物を調理するための厨房と複数の客席とに亘って設けられた搬送路と、各前記客席に設けられ、前記飲食物の注文を受注する飲食物注文手段と、各前記客席と前記厨房との間で前記搬送路に沿って走行する走行体と、を備え、前記飲食物を載置した前記走行体を前記客席まで走行させる注文飲食物搬送装置であって、
　前記搬送路は、複数の客席の客から受注した飲食物を載置した走行体３が各々走行する２本の注文搬送路１８，１９であり、厨房から複数の客席へ至るまでの経路が互いに並行に設けられている２本の注文搬送路１８，１９であり、
　２本の注文搬送路１８，１９上を走行する走行体３，３の走行を制御する制御手段と、を備え、
　前記制御手段は、
　　飲食物を注文した飲食カウンタ５における各飲食シート６又は飲食テーブル４の指定操作を注文搬送路１８，１９毎に受け付けて前記注文搬送路１８，１９上の走行体３，３を互いに独立して走行させることで、注文搬送路１８，１９において指定された飲食物を注文した飲食カウンタ５における各飲食シート６又は飲食テーブル４への飲食物の搬送を各々行わせる、注文飲食物搬送装置。」
２　引用文献２について
２−１　記載事項
　原査定の拒絶の理由に引用された上記引用文献２には、図面とともに次の事項が記載されている。
（２ａ）第２欄第５〜１４行
「　6は前記ベルト車2と駆動軸5に同時に接当して駆動軸5とベルト1間の動力伝達を行う中間摩摺車であり、各コンべア単位体3に夫々各別に設け、是等中間摩擦車6は夫々略中間部をピン7により固定機枠に枢着した腕杆8の端部に軸承されていて、この腕杆8の前記枢支ピン7周りに揺動自在となしてある。前記腕杆8は前記ピン7より下方位置を油圧シリンダー9、ピストンロツド10に連結してある。この油圧シリンダー9は適宜油圧回路に連結してある。」
（２ｂ）第２欄第２４〜３１行
「　コンべア装置の全幅に亙つて駆動する時には、各コンべア単位体3の油圧シリンダー9を全て作動させて
各コンべア単位体3
各コンべア単位体3
（２ｃ）第３欄第２〜１１行
「　即ち、前記並列方向所定幅部分内の前記移送装置と、その他の移送装置とを夫々各別にクラツチを介して原動機に連動連結させるものであるから
移送物品の大小形状に応じて、前記各移送装置を同時に駆動して幅広のコンべア装置として使用したり、若しくは適当幅部分の一群の移送装置を駆動して小幅のコンべア装置として使用したりすること
（２ｄ）引用文献２には、以下の図が示されている。
第１図
第２図
２−２　引用文献２に記載された技術的事項
　上記摘示（２ｂ）、（２ｃ）より、引用文献２には以下の技術的事項（以下「引用文献２技術」という。）が示されているといえる。
「移送物品の大小形状に応じて、前記各コンベア単位体3を同時に駆動して幅広のコンベア装置として使用したり、若しくは適当幅部分の一群の各コンベア単位体3を駆動して小幅のコンべア装置として使用したりすること。」
３　引用文献３について
３−１　記載事項
　原査定の拒絶の理由に引用された上記引用文献３には、図面とともに次の事項が記載されている。
（３ａ）「　　【００１５】
・・・以下に詳細に示すように、各駆動モータ２４ａおよび２４ｂ、および故に各
搬送ベルト２２ａおよび２２ｂ
搬送ユニット１８
各ベルトから搬送路１６の対応する側に同時に荷物を送出することが可能であり、また各側から荷物を導入しかつ／または搬送ユニットの他のベルト上に１つの荷物を搬送するようにさらに動作可能
好適には、搬送路１６に沿って１つまたは複数の列車（train）のように同時に移動するために搬送ユニット１８は連結手段２６によって連結されて
（３ｂ）「　　【００１９】
　図４に示すように、単一の搬送ユニット１８’は近接する1対のユニットから構成されており、それぞれユニット上に並列式の搬送ベルトを有している。このように、４区画（quad）ベルトの搬送ユニット１８’は４個のセルまたは搬送ベルト２２から構成されており、その各々は独立モードまたは同期モードのいずれかで動作してよい。」
（３ｃ）「　　【００２６】
　１つのセルだけでは大き過ぎかつ故に１つの搬送ユニットの両方の搬送を必要とする、
より大きな荷物
がこの搬送ユニットに積み込まれる場合
両搬送ベルト２２ａおよび２２ｂはともに、
１つの搬送ユニット１８の両方の搬送ベルト上により大きな荷物を積み込むように操作される。
（３ｄ）引用文献３には、以下の図が示されている。
【図３】
【図５】
【図６】
３−２　引用文献３に記載された技術的事項
　上記摘示（３ａ）、（３ｃ）より、引用文献３には以下の技術的事項（以下「引用文献３技術」という。）が示されているといえる。
「各搬送ベルト２２ａおよび２２ｂから搬送路１６の対応する側に同時に荷物を送出することが可能であり、また各側から荷物を導入しかつ／または搬送ユニットの他のベルト上に１つの荷物を搬送するようにさらに動作可能な搬送ユニット１８であって、好適には、搬送路１６に沿って１つまたは複数の列車（train）のように同時に移動するために搬送ユニット１８は連結手段２６によって連結されており、より大きな荷物がこの搬送ユニット１８に積み込まれる場合、両方の搬送ベルト２２ａおよび２２ｂはともに、１つの搬送ユニット１８の両方の搬送ベルト２２ａおよび２２ｂ上により大きな荷物を積み込むように操作されること。」
４　引用文献４について
４−１　記載事項
　原査定の拒絶の理由に引用された上記引用文献４には、次の事項が記載されている。
「【００４９】
　
搬送車３が曲線部２０３を走行する際
【００５０】
　光電センサ４７からの検出結果ならびに第１エンコーダ２７および第２エンコーダ３０からの検出結果を照合して、速度パターン発生部６２は、搬送車３の現在位置を確認する速度パターン発生部６２は、現在位置情報および速度比率テーブル３００（後述）を使用することで、適切な左右速度差が生じるように目標速度信号を第１誤差増幅部６５Ａおよび第２誤差増幅部６５Ｂに送信する。
【００５１】
　
速度パターン発生部６２は、曲線部２０３に進入すると、内輪を減速して外輪を加速すること
第５　対比・判断
１　本願発明１について
(１)対比
　本願発明１と引用発明とを対比する。
ア　引用発明の「例えば回転寿司店等の飲食店において、飲食物を調理するための厨房」は、本願発明１の「飲食店の厨房」に相当し、以下同様に、「複数の客席」は、複数の客席をまとめたものは客席エリアといえるから、「客席エリア」に、「とに亘って」は、「との間で」に、「飲食物」は、「飲食物注文手段」が「飲食物の注文を受注」したものであるから、「注文飲食物」に、「前記飲食物を載置した前記走行体を前記客席まで走行させる」ことは、「注文飲食物を搬送する」ことに、それぞれ相当する。
イ　上記アの相当関係を踏まえると、引用発明の「例えば回転寿司店等の飲食店において、飲食物を調理するための厨房と複数の客席とに亘って設けられた搬送路と、各前記客席に設けられ、前記飲食物の注文を受注する飲食物注文手段と、各前記客席と前記厨房との間で前記搬送路に沿って走行する走行体と、を備え、前記飲食物を載置した前記走行体を前記客席まで走行させる注文飲食物搬送装置」は、本願発明１の「飲食店の厨房と客席エリアとの間で注文飲食物を搬送する注文飲食物搬送装置」に相当する。
ウ　引用発明の「受注した」ことは、本願発明１の「オーダーされた」ことに相当し、以下同様に、「載置した」ことは、「載せた」ことに、「走行体３」は、その上に寿司皿１１を載置するものであるから（摘示（１ｅ）段落【００４８】）、「搬送トレー」に、「２本の注文搬送路１８，１９」は「複数の搬送レーン」に、それぞれ相当する。
　よって、上記アの相当関係も踏まえると、引用発明の「前記搬送路は、複数の客席の客から受注した飲食物を載置した走行体３が各々走行する２本の注文搬送路１８，１９であり、」は、本願発明１の「前記客席エリアの客からオーダーされた注文飲食物を載せた搬送トレーが各々走行する複数の搬送レーンであり、」に相当する。
エ　上記アの相当関係を踏まえると、引用発明の「厨房から複数の客席へ至るまでの経路」は、本願発明の「前記厨房から前記客席エリアにある少なくとも何れかの客席へ至るまでの経路」に相当するといえる。また、引用発明の「並行に」は、本願発明１の「平行に」に相当し、同様に、「設けられている」ことは、「形成されている」ことに相当する。
　そうすると、上記ウの相当関係も踏まえると、引用発明の「厨房から複数の客席へ至るまでの経路が互いに並行に設けられている２本の注文搬送路１８，１９」は、本願発明１の「前記厨房から前記客席エリアにある少なくとも何れかの客席へ至るまでの経路が互いに平行に形成されている複数の搬送レーン」に相当する。
オ　引用発明の「制御手段」は、本願発明１の「制御装置」に相当し、同様に、「走行体３，３」は「各搬送トレー」に相当する。
　よって、上記ウの相当関係も踏まえると、引用発明の「２本の注文搬送路１８，１９上を走行する走行体３，３の走行を制御する制御手段」は、本願発明１の「前記複数の搬送レーンにある前記各搬送トレーの走行を制御する制御装置」に相当する。
カ　引用発明の「飲食物を注文した飲食カウンタ５における飲食シート６又は飲食テーブル４」は、飲食物を注文し、そこに飲食物が搬送されることは明らかであるから、本願発明１の「搬送先」に相当する。また、引用発明の「注文搬送路１８，１９」は、本願発明１の「搬送レーン」、「複数の搬送レーン」及び「各搬送レーン」に相当する。
　そうすると、上記イ、ウ、オの相当関係も踏まえると、
　引用発明の「前記制御手段は、飲食物を注文した飲食カウンタ５における飲食シート６又は飲食テーブル４の指定操作を注文搬送路１８，１９毎に受け付けて前記注文搬送路１８，１９上の走行体３，３を互いに独立して走行させることで、注文搬送路１８，１９において指定された飲食物を注文した飲食カウンタ５における飲食シート６又は飲食テーブル４への飲食物の搬送を各々行わせる」ことと、
　本願発明１の「前記制御装置は、一つの前記搬送トレーに載る大きさの注文飲食物の容器を搬送する場合に選択される非同期モードにおいては、搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせ」ることとは、
　「前記制御装置は、搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせ」ることである点で共通する。
　したがって、本願発明１と引用発明との間には、次の一致点、相違点があると認める。
〔一致点〕
「飲食店の厨房と客席エリアとの間で注文飲食物を搬送する注文飲食物搬送装置であって、
　前記客席エリアの客からオーダーされた注文飲食物を載せた搬送トレーが各々走行する複数の搬送レーンであり、前記厨房から前記客席エリアにある少なくとも何れかの客席へ至るまでの経路が互いに平行に形成されている複数の搬送レーンと、
　前記複数の搬送レーンにある前記各搬送トレーの走行を制御する制御装置と、を備え、
　前記制御装置は、
　　搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせる、
　注文飲食物搬送装置。」
〔相違点〕
　本願発明１は、「一つの前記搬送トレーに載る大きさの注文飲食物の容器を搬送する場合に選択される非同期モードにおいては、搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせ、前記複数の搬送レーン間に跨る大きさの注文飲食物の容器を搬送する場合に選択される同期モードにおいては、搬送先の指定操作を受け付けて前記複数の搬送レーンの各搬送トレーを並列に走行させる」のに対し、引用発明は、常に「飲食物を注文した飲食カウンタ５における飲食シート６又は飲食テーブル４の指定操作を注文搬送路１８，１９毎に受け付けて前記注文搬送路１８，１９上の走行体３，３を互いに独立して走行させることで、注文搬送路１８，１９において指定された飲食物を注文した飲食カウンタ５における飲食シート６又は飲食テーブル４への飲食物の搬送を各々行わせる」（搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせる）ものであって、「非同期モード」及び「同期モード」に係る特定事項を有していない点。
（２）相違点についての判断
ア　上記相違点について検討すると、第４、２、２−２に引用文献２技術として示したとおり、引用文献２には、「移送物品の大小形状に応じて、前記各コンベア単位体3を同時に駆動して幅広のコンベア装置として使用したり、若しくは適当幅部分の一群の各コンベア単位体3を駆動して小幅のコンベア装置として使用したりすること。」が記載されている。
イ　しかしながら、上記引用文献２技術は、各コンベア単位体3を同時に駆動するか、あるいは、適当幅部分の一群のみを駆動するかによって、コンベア装置の幅を変更するものであって、上記相違点に係る本願発明１のごとく「非同期モードにおいては、搬送先の指定操作を搬送レーン毎に受け付けて前記複数の搬送レーンの各搬送トレーを互いに独立して走行させる」ものではなく、上記相違点に係る「非同期モード」及び「同期モード」を備えたものとはいえない。
　よって、引用発明に、引用文献２技術を採用したとしても、上記相違点に係る本願発明１の「非同期モード」及び「同期モード」を備えた構成には至らない。
ウ　同様に、第４、３、３−２に引用文献３技術として示したとおり、引用文献３には、「各搬送ベルト２２ａおよび２２ｂから搬送路１６の対応する側に同時に荷物を送出することが可能であり、また各側から荷物を導入しかつ／または搬送ユニットの他のベルト上に１つの荷物を搬送するようにさらに動作可能な搬送ユニット１８であって、好適には、搬送路１６に沿って１つまたは複数の列車（train）のように同時に移動するために搬送ユニット１８は連結手段２６によって連結されており、より大きな荷物がこの搬送ユニット１８に積み込まれる場合、両方の搬送ベルト２２ａおよび２２ｂはともに、１つの搬送ユニット１８の両方の搬送ベルト２２ａおよび２２ｂ上により大きな荷物を積み込むように操作されること。」が記載されている。
エ　しかしながら、上記引用文献３技術の、「各搬送ベルト２２ａおよび２２ｂ」は「搬送路１６」に沿って移動する「搬送ユニット１８」上に設けられたものであって、搬送路１６に対して常に同じ位置を走行するものといえるから、上記相違点に係る本願発明１の「非同期モードにおいては、搬送先の指定操作を搬送レーン毎に受け付けて前記複数の搬送レーンの各搬送トレーを互いに独立して走行させることで、各搬送レーンにおいて指定された搬送先への注文飲食物の搬送を各々行わせ」るものではなく、上記相違点に係る「非同期モード」及び「同期モード」を備えたものとはいえない。
　よって、引用発明に、引用文献３技術を採用したとしても、上記相違点に係る本願発明１の「非同期モード」及び「同期モード」を備えた構成には至らない。
オ　さらに、引用文献４は、原査定において請求項３に係る発明に対して引用された文献であるところ、上記相違点に係る本願発明１の「非同期モード」及び「同期モード」を備えた構成については何ら開示されていない。
カ　したがって、本願発明１は、当業者であっても、引用発明及び引用文献２〜４に記載された技術的事項に基いて容易に発明をすることができたものとはいえない。
２　本願発明２〜３について
　本願発明２〜３は、本願発明１の発明特定事項を全て含みさらに限定したものであるから、本願発明１と同様の理由により、当業者であっても、引用発明及び引用文献２〜４に記載された技術的事項に基いて容易に発明をすることができたものとはいえない。
第６　むすび
　以上のとおり、原査定の理由によっては、本願を拒絶することはできない。
　また、他に本願を拒絶すべき理由を発見しない。
　よって、結論のとおり審決する。